(57)【要約】カーペット織機は、各々が多くの異なる色の糸タフト（２６）を多くの異なる織り点へ順次的に供給することのできる１以上のタフト形成ユニット（１）を有する。その又は各タフト形成ユニット（１）は、取り外し自在のヤーンキャリア（２）を有する。この様にして、織られているカーペットのデザインを変える必要があるときに、又はクリール（３）が空になったときに、その又は各取り外し自在ヤーンキャリア（２）は、別のクリール（３）から供給を受ける異なるヤーンキャリアと簡単に置換される。好ましくは、その又は各組のヤーンキャリアに関連するクリール（３）は、それ自体織機の残りの部分（６）から取り外し可能で、ヤーンキャリア（２）と置換できる。
2004502044.tif 000002
【特許請求の範囲】
【請求項１】
各々が多くの異なる色の糸タフト（２６）を多くの織り点へ順次的に供給することのできる１又はそれ以上のタフト形成ユニット（１）を備えたカーペット織機において、その又は各タフト形成ユニット（１）が取り外し自在のヤーンキャリア（２）を含むことを特徴とするカーペット織機。
【請求項２】
その又は各取り外し自在のヤーンキャリア（２）のための糸の供給部は、所定の位置に固定され且つ２つの部分で構成されたクリール（３）から行われ、１つの部分からの糸はガイドを通され且つ織機のタフト形成ユニット（１）に組み合わされた１又はそれ以上の取り外し自在のヤーンキャリア（２）の全てに糸通しされ、織るべきカーペットのデザインを変える必要があるときに、又は該クリール（３）が空になったときに、その又は各取り外し自在のヤーンキャリア（２）を織機から取り外して、該クリール（３）の他の部分にある糸の供給を全てが受ける異なるヤーンキャリア（２）と置換されることを可能とする請求項１に記載のカーペット織機。
【請求項３】
その又は各取り外し自在のヤーンキャリア（２）が、織るべきカーペットのデザインが変わり、又は該クリール（３）が空になったときに、それ自体が該織機の他の部分から取り外すことができるクリール（３）からヤーンの供給を受ける請求項１に記載のカーペット織機。
【請求項４】
該クリール（３）が車輪（１３）の上に載せられていて、典型的には人手によって、該クリールが該織機の他の部分からの通路に向かって輪上搬送できる請求項３に記載のカーペット織機。
【請求項５】
該クリール（３）に取り付けられて一緒に動くガイド（４）が、該クリール（３）からその又は各取り外し自在のヤーンキャリア（２）へ糸を案内するために設けられている請求項３又は４に記載のカーペット織機。
【請求項６】
該クリール（３）が織り手（７）の後方で、織機において経糸入口（８）と開口構造とは反対側の位置に配置される前記請求項の何れか１項に記載のカーペット織機。
【請求項７】
ガイド（４）が織り手位置（７）の上部を越えて糸を運び、そして該ガイドが一連のヤーンチューブ（１２）によって形成される請求項６に記載のカーペット織機。
【請求項８】
該クリール（３）が、各々が通常のヤーンパッケージのボビン（５）を支持する多くのパッケージ保持部を有し、或いは、その代わりにクリールが、各々が所定長のヤーンを内蔵する個別の容器又はセル（１４）を多数有する前記請求項の何れか１項に記載のカーペット織機。
【請求項９】
該クリール（３）上の供給される糸が全て予め長さが定められており、織るべきカーペットの特定のデザインに必要とされる長さに適合されている前記請求項の何れか１項に記載のカーペット織機。
【請求項１０】
多くの分離個別位置の選択された一つにヤーンキャリア（２）を駆動して選択された糸（２０）を装填位置に持ってくる手段（２１）と、該選択された糸（２０）に選択位置で係合し且つ予定長さの選択された糸（２０）をセレクターホイール（２）から引っ張るプラー（５１）及び選択された糸（２０）を切断して予定長さのタフト（２６）を形成する切断機構（６１）をその又は各ヤーンタフト形成ユニット（１）が有する前記請求項の何れか１項に記載のカーペット織機。
【請求項１１】
その又は各ヤーンキャリア（２）が、その又は各タフト形成ユニット（１）の残りの部分から如何なる種類の工具も使用せずに取り外すことができる前記請求項の何れか１項に記載のカーペット織機。
【請求項１２】
ヤーンキャリア（２）を駆動して、確実にヤーンキャリアが駆動手段（２１）及び保持具（８３、８７、９１、９４）の動きに応答してヤーンキャリア（２）を所定位置に保持するように駆動手段（２１）と協働する係合手段（８２、９０）をヤーンキャリア（２）が有する請求項１１に記載のカーペット織機。
【請求項１３】
該保持具が簡単な押し付け具又は嵌め込み具であり、又はその代わりに保持具が、該ヤーンキャリアを所定位置にロックするように作動する確動型ロック又はラッチを有する請求項１２に記載のカーペット織機。
【発明の詳細な説明】
【０００１】
発明の背景
カーペット、特に模様付きのアキスミンスターカーペットを造るに際し、ヤーンタフト形成ユニットがカーペットの各織り点へ特定の色の糸を供給するために使用される。通常のアキスミンスター織においては、ヤーンタフト形成が行われる２つの基本的な方法がある。第１の方法はジャガードアキスミンスター織機を使うものであり、第２はスプールアキスミンスター織機を使うものである。
【０００２】
グリッパージャガードアキスミンスター織機において、各織り点は異なる色の通常８本の糸によって通常供給されるヤーンキャリアを含んでおり、そしてジャガード機構が選択された糸をヤーン選択位置に持ってくるためにそのキャリアを動かす。グリッパーはキャリアに向かって動き、ヤーン選択位置において糸を把持しそしてグリッパーとキャリアの相対的な離れる動きが予め定められた長さの糸をキャリアから引き出す。それから糸は切断されてタフトを形成し、グリッパーによって織り点へ動かされる。グリッパーによって運ばれるタフトは、織られるべきカーペットの次のよこ列へ供給されるタフトにとって適当な色をしている。通常の１２フィート（４ｍ）の織機に対して、織機を横切って１０００以上の織り点があり、織機に糸を供給するクリールは、８０００以上のヤーンパッケージを持つ潜在能力を持たなければならない。典型的には、クリールが、各ヤーンパッケージの中で測定された量の糸を持つと、追加の１８メートルの糸の余裕が、各ヤーンパッケージの中に設けられる。従ってヤーンパッケージの数が多くなればなるほど、廃棄量も大きくなる。かかる大きさのクリールは可成りの面積を占有し、かかる織機は、８０００以上の糸端がクリールを通って且つ個別のヤーンキャリアに供給されなければならないので、糸通しに可成りの時間をとる。そのように大きいクリールサイズにも拘わらず、完成カーペットの経糸方向に延び且つ単一の織り点に対応するタフトの各たて列に使用できる色の数が各模様の繰り返しにおいてただの８個に制限されるので、カーペットのデザイナーは相対的に制約が多い。ヤーンキャリアが１６本の異なる糸を保持することができるジャガードが又知られている。これらは、糸通しを完了するのに尚長い時間を要する尚大きいクリールを必要とする。
【０００３】
スプールアキシミンスター織機では、デザイナーは大きいフレキシビリティを持っている。スプールアキシミンスター織機において、個別のスプールが繰り返し模様の各よこ列に対して準備され、そして各スプールは各よこ列に沿う各織り点に対して個別のヤーン巻きを持っている。従って、少なくとも理論的には、デザイナーは、繰り返し模様の各よこ列及びたて列に対して無限数の色選択をすることができる。しかしながら、実際には、デザインの各たて列及びよこ列に対して使用される選択色の数が増大すると、スプール巻き取り運転に必要なヤーンパッケージの数が又増大する。更にスプール巻き取り機は各スプールの巻き取りに対して別々に糸通しをしなければならないので、これは時間がかかる。多くの異なる色が各繰り返し模様のたて列及びよこ列即ち経糸方向及び横糸方向の両方に使用されると、スプール巻き取り機に供給する異なる色のヤーンパッケージの数が典型的なジャガードアキシミンスター織機のクリールのそれよりも更に多くなる。スプール織機の繰り返し模様は、スプールチェーンにおいて使用できるスプールの数で制限される。更に運転の完了時において、繰り返し模様の各よこ列の各織り点から廃棄屑が発生するので、グリッパーアキシミンスター織機よりも相当に大きい廃棄糸量がスプールアキシミンスター織機から発生する。
【０００４】
従来技術の説明
ジャガード及びスプールアキシミンスター織機の双方において、カーペットの完全なよこ列に対するタフトのよこ列が同時に生成されて、カーペットを造るために地組織へ織り込まれる織り点へ移送される。カーペット製造のためのヤーン選択に対する全く異なった方策が最近、ＷＯ ９５／３１５９４に提案されている。これでは、カーペットのよこ列を形成するための糸のタフトは、タフトキャリアへ先ず糸タフトを装填し、それから、タフトキャリアから織り点へ糸タフトを移送することによって作られる。これを実現するために、多数の異なるタフト形成ユニット、典型的には１織り点につき１基、が経路長に沿って設けられ、典型的には１基のタフト形成ユニットは単色のみの糸が供給される。タフトキャリアが経路に沿って動くときに、その各タフト保持サイトの中に適当な色のタフトを受け入れる。タフトキャリアは引き続いて動いて、各よこ列に対する全てのタフトがグリッパーによって把持されて、同時に織り点へ移送される。この様にして、タフトは常に全部が同時に形成される訳ではなく、そのためタフト形成は少なくともある範囲では、織り運転とは切り離される。従って、タフト形成は織り運転と同時に行うことができ、そのためタフト形成は、織機の運転の間中実質的に連続して行うことができる。これは、各織りサイクルの約半分に対してのみタフト形成が行われる従来のスプール又はグリッパー型織機と対比されるべきである。
【０００５】
ＷＯ ９５／３１５９４に示された例において、全織りサイクルに亘ってタフトを形成する結果として部分的に、例えばタフト形成の速度を４倍に増大することが可能であることが示唆されている。もしこれが可能であり、そして織機を従来の織機と同じ速度で運転することが意図されれば、基本的には、各タフト形成ユニットは４個の織り点用のタフトを供給するので、そのクリールの大きさを四分の一にすることが可能であるとも説明されている。しかしながらこの文献のどこにも、織り点の数よりも少ないヤーンパッケージが存在する配置を例示しておらず、従ってこの構成でさえも、カーペットが製造されていない間に糸通しをするための相当のクリールと相当の時間を必要とするものである。
【０００６】
これと同じ日に出願され、欧州特許出願ＮＯ．００３０４０８１．３に基づく優先権を主張し且つ代理人参照番号ＳＮＲ０６７５７ＷＯを持っている別の国際特許出願ＮＯ．・・・・において、１以上のタフト形成ユニットを有し、その又は各タフト形成ユニットが、多数の織り点、典型的には数十個の織り点に連続的にタフトを供給するカーペット織機が記載されている。織機、特にサンプルを製作するものは、単一のタフト形成ユニットだけを持つことがあり、これは３００以上の織り点用のタフトを供給することがある。一般には、カーペット製造のために、織機は複数のタフト形成ユニットを有し、それぞれが３０乃至１００個の織り点にタフトを供給する。そのような構成において、ヤーンパッケージの潜在的な数が、その又は各ヤーンタフト形成ユニットによって供給される織り点の数によって通常は分られる必要性があり、ある場合にはそれを１００以下に削減するものであるので、クリールのヤーンパッケージの数を大きく削減することが可能であるが、一方では又デザイナーに経糸方向に延びるタフトの各たて列においてより大きい数の色選択することを可能とする。
【０００７】
発明の概要
この発明によれば、カーペット織機は、各々が多数の異なった色の糸タフトを多数の異なった織り点に供給することができる１又はそれ以上のタフト形成ユニットを有し、その又は各ヤーンタフト形成ユニットが、取り外し自在のヤーンキャリアを有することを特徴とする。
【０００８】
その又は各取り外し自在ヤーンキャリアのための糸の供給部は、所定の位置に固定され且つ二つの部分から形成されるクリールから行われる。この場合、一つの部分からの糸は、ガイドを通されて織機のヤーンタフト形成ユニットに組み合わされた１又はそれ以上の取り外し自在のヤーンキャリアへ糸通される。織るべきカーペットのデザインを変更する必要のあるとき、又はクリールが空になったときは、その又は各取り外し自在のヤーンキャリアが織機から取り外され、そしてクリールの他の部分においてヤーンが供給された異なるヤーンキャリアによって単に交換される。固定されたクリールの二つの部分は好ましくは横に並んで配置されるが、一方の後に他を配置しても良い。
【０００９】
しかしながら好ましくは、その又は各取り外し自在のヤーンキャリアは、それ自身が織機の残りの部分から取り外し自在で且つ織るべきカーペットのデザインが変わり又はクリールが空になったときに交換可能なクリールから糸が供給される。フォークリフトトラックのような装備を使用してクリールを動かすことが望ましいこともあるが、織機の残りに対して車輪が転動して接近離隔、典型的には人手により、できるようにクリールは車輪の上に載せられる。勿論、各々が１以上のタフト形成ユニットに糸を供給する複数のユニットにクリールを分解することは可能であるが、その又は全部のタフト形成ユニットに供給する単一の装置としてクリール全体が形成されるのが好ましい。
【００１０】
この発明による構成を用いて、織機が、異なるセットのヤーンキャリア及び異なるクリール又はクリールの異なる部分を使用してカーペットを織っている間に、糸がクリールへ、そしてガイドを通されてその又は各取り外し自在のヤーンキャリアに供給することができる。織機から離れて又はとにかく織機が既にカーペットを製造している間にクリールガイドとヤーンキャリアとに糸通しをすることができることによって、カーペットの一つのデザインを次のものに交換するとき又はそれが空になってクリールを変えるときにカーペット製造に大きな機械運転停止を行う必要がないことは効果的である。必要なことは、その又は各タフト形成ユニットからそのヤーンキャリアを取り外し、又は別の供給源からの糸によって既に糸通しされた別のヤーンキャリアとそれを交換することだけであり、それで直ちに織機は再びカーペット、だが典型的には異なる紋様又は異なる色のカーペットを製造する準備が整う。
【００１１】
好ましくは、クリールは織り手の後方、即ち織機において経糸入口及び開口構造とは反対側に位置する。通常のカーペット織機ではクリールは経糸入口及び開口構造と同じ側にあり、クリールが織機の「後側」にあって織り手の前にあるので、これは普通ではない。クリールが織機の前方側にあると、ガイドは織り手の上方を越えて糸を運ぶように配置されるのが好ましい。ガイドは一連の糸担持アイによって形成され及び／又はガイドの全て又は一部は、従来のヤーンチューブによって形成される。ヤーンチューブが織り手を糸屑から保護するので糸が織り位置の上部を通り越すとき、これは非常に利点がある。織機が可動クリールを有すると、ガイドは好ましくはクリールに取り付けられ、クリールと一緒に動く。
【００１２】
クリールは、各々が通常のヤーンパッケージのボビンを支持する多くのパッケージホルダを有しても良く、又その代わりにクリールが所定長の糸を収容している多数の個別容器又はセルを有し、従って本出願人の以前の出願ＥＰ−Ａ−００５８４７８に記載されたものと略同じになっても良い。好ましくは、クリール上の供給糸は、織るべきカーペットの特定の紋様に必要とされるものに適合する予め設定された長さのものである。
【００１３】
その又は各ヤーンタフト形成ユニットは、選択された糸を装填位置に持っていくために多数の分離位置の一選択位置へヤーンキャリアを駆動する手段、選択ヤーンに装填位置で係合しセレクターホイールから予定長の選択された糸を引き出すプラー、及び予定長のタフトを形成するために選択された糸を切断する切断機構を有するのが好ましい。
【００１４】
各ヤーンキャリアは、その長手方向に間隔をおいて離れている異なる色の糸と、特定色の糸を選択するために長手方向にヤーンキャリアを駆動する手段を担持している。そのため、そのヤーンキャリアは通常のグリッパーアキシミンスター織機に使用されるものと大体似たものとなるが、この場合には、例えばＥＰ−Ａ−０７８５３０１に記載されているコンピュータ制御のサーボモータによって、ヤーンキャリアが長手方向に動かされるのが好ましい。しかしながら、その又は各タフト形成ユニットは、その周りに並べられた多くの異なる糸を保持するように備えられたヤーンセレクターホイールと角度的に分離された多くの位置の選択位置へそのセレクターホイールを移動する手段を有するのが好ましい。ヤーンはセレクターホイールの外周の周りに並べられ、その回転軸に略平行な方向に延びても良いが、糸は好ましくはそのセレクターホイールの外周に向けて略半径方向に延びる。一般的には、そのようなヤーンセレクターホイールは１０を越える異なった糸、典型的には１２本、１６本、２４本又は３２本の異なる糸を入れるための備えを有する。好ましくは、セレクターホイールはコンピュータ制御のサーボモータによって、予設定の角度位置及びその間へ駆動される。そのようなタフト形成ユニットの特定例が、欧州特許出願Ｎｏ．００３０４０５３．２に基づく優先権主張をして、本出願と同日付けで出願された国際特許出願Ｎｏ．・・・（代理人整理番号ＳＮＲ０６４０６ＷＯ）に詳しく記載されている。
【００１５】
好ましくは、その又は各ヤーンキャリアは、その又は各タフト形成ユニットの残りの部分から如何なる種類の工具を使用せずに取り外すことができる。ヤーンキャリアは、確実にヤーンキャリアが駆動手段と保持具の動きに応答してヤーンキャリアを所定位置に保持するために、糸を動かす手段と協働する係合手段を有するのが好ましい。保持具は、例えばヤーンキャリアを所定位置に保持するためのばね負荷爪を含む単純な押圧具又は差し込み具でよい。その代わりに、保持具は、ヤーンキャリアを予定位置にロックする例えばレバーによって確動的に操作される確動ロック又はラッチを含んでも良い。
【００１６】
特定の実施例の説明
この発明による織機の特定の例が、添付の図面を参照して以下に説明される。
【００１７】
カーペット織機は、各々が多数の異なる織り点に糸タフトを供給し且つ各々が取り外し自在のヤーンキャリア２を有する１又はそれ以上のタフト形成ユニット１と、供給される糸を保持する可動クリール３と、クリール３上の供給部５からその又は各ヤーンキャリア２へ糸を案内するガイド４とを備え、その又は各取り外し自在のヤーンキャリア２と、クリール３と、ガイド４とは、織機の残りの部分から取り外すことができ、且つ織るべきカーペットのデザインが変わるときに交換することができる。クリール３は織機の前方で織り手の位置の後に配置されている。これは、経糸８が供給されるワープビーム（図示されない）とは織機の反対側の位置にある。完成したカーペットがロール９に集められる。
【００１８】
ヤーン供給経路の第１例において、クリール３は典型的に各々が多くのヤーンパッケージ５を含んでいる数個のスタンド１０を含む。図２に示された配置構造は、各が１２個のヤーンパッケージ５を有するスタンドを示している。各パッケージ５からの糸は、アイ１１を通されて、さらなるガイド構造４へ通され、このガイド構造４は図２に示され織り位置７の上方を通過する通常のヤーンチューブ１２からなる。しかしながら、これらヤーンチューブ１２はさらなるアイ１１によって交換されうる。少数のヤーンパッケージを含みそしてクリール３が可動となるように形成されていることを除いて、この例のクリール３は他の部分では従来の構造となっている。図示されるように、クリール３は典型的には車輪１３の上に取りつけられて織機の残りの部分６に向かって且つこれから離れるように人手によって動かすことができる。
【００１９】
ヤーン供給の第２例は図３に示され、そしてＥＰ−Ａ−００５８４７８に十分に記載されたヤーン供給クリールの型を基礎にしている。この配置構成において、多くの矩形状の容器１４が矩形状のアレイ１５を形成するように配置されている。図３は、簡単な６×６アレイを例示の目的で単に示しているが、アレイ１５はもっと多くを含んでも良い。各容器１４は予め計測された長さの糸を収容している。各容器１４からの糸は、ヤーンチューブ１６を通され、そしてその後ヤーンチューブ１２を通って織り手位置７を通り越して取り外し自在のヤーンキャリア２に至る。容器１４のアレイ１５は車輪上に載っているが、この例ではフォークリフトトラックによって織機に対する位置に搬出入することが意図されている。従って、フォークリフトトラック（図示されない。）の昇降フォークを受け入れるように配置された脚１７を基台が有している。
【００２０】
織機は１又はそれ以上のタフト形成ユニット１を有し、その各々は、典型的には１２本又は２４本の異なる色の糸２０を保持するヤーンセレクターホイール２を有している。ヤーンセレクターホイール２はヤーンセレクターホイールモータ２１に取り外し自在に取り付けられ、これは予め決められた色の糸を選択するために角度的に分離された多数位置の一つへセレクターホイール２を回転する。図６から判るように、異なった色の糸２０は、セレクターホイール２の周りで略半径方向に延びる通路内で略半径方向の向きで並べられ、ばね２２によってその位置に保持されている。織機は、軸２４の回りに回転するために取り付けられた一対のタフトキャリア２３並びに構造及び使用が全体的に従来のものであるグリッパーセット２５を有している。タフト形成ユニット１が織機を前方にトラバースすると、タフトキャリア２３の上端に沿って形成されたタフト保持サイト２７（図９に図示）にタフト２６が置かれる。全てのタフト保持サイト２７にタフトが置かれると、タフトキャリア２３は軸２４の回りに時計方向に（図４に示されるように）回転してタフトが装填されたタフトキャリア２３を最下位置に移動し、そして空のタフトキャリア２３を最上位置に移動する。それから、タフト形成ユニット１は、織機を後方にトラバースするときにタフト２６を最上位置のタフトキャリア２３に装填する。
【００２１】
グリッパー２５は、図４に示されるように時計回りに、口先を開けて上向きに動き、それから閉じて最下位置のタフトキャリア２３によって保持された全てのタフト２６を把持する。グリッパー２５はそれから反対方向に回転してタフト２６を織り位置２８に移動し、そこでタフト２６はカーペットの中に織り込まれ且つグリッパー２５が開いてタフト２６を解放する。おさうち筬とレピア横糸挿入機構は簡潔化のために図４からは割愛されているが、全体としては従来型のものであり、慣用のグリッパーアキスミンスターカーペット織機に使用されているものと同様のものである。
【００２２】
タフト形成ユニット１は、図７乃至図９において説明を容易にするために簡略化された形で示されており、そしてその形成の間及びヤーンキャリア２３の各タフト保持サイト２７へ挿入するときに、各ヤーンタフト２６の確動的ハンドリングを行う。各糸タフト形成ユニット１は、互いに噛み合う３個の等サイズのピニオン３３、３４、３５が取り付けられている３本の平行な軸３０、３１、３２からなるギヤボックスを含んでいる。軸３０、３１、３２の一つは、図９に示されるようにサーボモータ３６とさらなるピニオン３７によって直接的に駆動される。３本の軸３０、３１、３２は全て偏心ピンを担持するためにドリル穴が開けられる。ピン３８は軸３０に取り付けられ、そしてロッド３９とピン４０に連結される。ロッド３９はプラー５１の本体部５０内で軸支持され、図７及び図８で見られるように上下方向に摺動されることができる。本体部５０は、その上端部においてピボット５２上に枢着される。結果として、軸３０が図７に見られように反時計方向に回転すると、ピン３８とロッド３９が本体部５０に関して上下動し、本体部５０はそのピボット５２の回りに前向き及び後ろ向きに枢動される。プラー５１は、一対の枢動腕５３、５４を有し、その最下部にはジョー５５が取り付けられている。枢動腕５３、５４の上端は、腕をしてジョー５５を枢動して開くようにばね５６によって一緒に力を受けている。ピン４０は腕５２、５３のカム面５７、５８に関して上下動し、最上位置にあるときにジョー５５を一緒に偏倚し、そして最下位置にあるときにばね５６によって作用される偏倚力に応答して腕５２、５３がジョー５５を開けるようにしている。
【００２３】
ナイフ組立体６１の可動ブレード６０は、可動ブレード６０と軸３１に取り付けられた偏心ピン６３との間に連結されたリンク６２によって、上下方向に駆動される。可動ブレードの後面は、それらが前向きの位置にあるときに腕５２、５３の間に位置する一対の案内側面６４を担持している。固定ナイフブレード６５は、セレクターホイール２の縁に隣接し、その中に糸の端部が突入する開口６６を有する。第３軸３２の偏心ピン７０は、リンク７２を介して第１指令レバー７１の一端を駆動する。第１指令レバー７１の他端に位置するプッシャー７３は、案内側面６４の間を上下方向に動く。
【００２４】
各タフトを製造するため、ヤーン選択モータ２１はセレクターホイール２を回転して選択された糸をプラー５１に隣接する位置に持ってくる。プラー５１の本体部５０は、ジョー５５が開くように最下位置に向かってピン４０と共に枢動する。軸３０が回転し続けると、ピン４０は上昇し、カム面５７、５８の間を動いて、ジョー５５を閉じてその間に選択された糸の自由端部を挟持する。軸３０を更に回転すると、プラー５１の本体部５０は後向きに枢動してセレクターホイール２を通してクリール３から糸を引っ張る。軸３１の回転は、ナイフ組立体６１の可動ブレード６０を下向きに動かす。可動ブレード６０が下向きに動くと、プラー５１に引っ張られている糸の長さは案内側面６４の間にトラップされる。一旦プラー５１が後ろ向きに最大範囲まで動くと、ナイフブレード６０が連続して下向きに動いて糸を切断し、タフト２６を形成するが、これはナイフブレード６０が過行程において下向きに動き続けるときに案内側面６４の間に保持される。一方、軸３２の回転は、プッシャー７３をして案内側面６４の間を下降せしめる。更に軸３０を回転すると、ピン４０がカム面５６、５７から離れて下降され、このためジョー５５がばね５６の作用により開く。軸３２を更に回転すると、案内側面６４の間に保持されたタフト２６の上端にプッシャー７３を接触させ、そして軸３２を続けて回転すると、タフトキャリア２３のタフト保持サイト２７の中にタフト２６を押し入れる。軸３１を続けて回転すると、可動ナイフブレード６０は上向きに動く。一方、ヤーン選択モータ２１はセレクターホイール２を動かして選択されるべき次の糸を配置する。軸３０、３２を続いて回転すると、プラー５１を前方に動かして次の糸を把持する位置に持っていき、プッシャー７３を上向きに動かして次の運転サイクルに備える。
【００２５】
図１０は、セレクターホイール２とヤーン選択モータ２１との間の取り外し自在の連結構造の一例を示している。この例では、選択モータ２１は、カラー８１と別のキー付き軸８２とを持つ軸８０を駆動する。それは又、半径方向孔８３も有している。セレクターホイール２の頭部８４は、キー付き軸８２を受け入れる雌形凹みを有し、そして又半径方向孔８５を有している。略円形の板ばね８６は、半径方向に延びるピン８７を担持している。ばね８６は通常、孔８５の中に挿入されたピン８７によってセレクターホイール２の頭部８４に取り付けられている。
【００２６】
軸８０にセレクターホイール２を取り付けるためには、セレクターホイール２の頭部８４はキー付き軸８２の頭部に単に冠着し、嵌り合うキー溝が一緒に摺動するまで回すだけでよい。それから、ばね８６の自由端８８が持ち上げられてピン８７を半径方向外向きに動かして、カラー８１に載るまで頭部８４をキー付き軸８２に沿って摺動させる。それから、ばねの自由端８８を解放して、ピン８７を孔８３に入れて選択モータ２１の軸８０の所定位置にセレクターホイール２を固定する。セレクターホイールを取り外すためには、運転者はばね８６の自由端８８を単に持ち上げてピン８７を孔８３から外し、それからセレクターホイールをキー付き軸８２から引き出すだけでよい。
【００２７】
相互連結の第２例が図１１に示されている。再び選択モータ２１の軸８０は、軸８０に切られたキー溝の中に位置するキー９０を有している。軸８０は又、環状溝９１を有している。セレクターホイール２は、軸及びキー９０の回りに嵌り合うスリーブ９２を持つ頭部分８４を有している。スリーブ９２は３個のテーパ孔９３を有し、それぞれがボール９４を位置決めしている。テーパ付き内側面９６を持つカラー９５がスリーブ９２を取り囲んでおり、３個の圧縮ばね９７によってセレクターホイール２から離れるように偏倚されている。カラー９５のテーパ付き内側面９６はボール９４の外側面に接触し、選択モータ２１の軸８０にある溝９１に係合するようにボールを半径方向内向きに偏倚している。この様にして、キー９０とキー溝との相互連結により、セレクターホイール２は軸８０に関して回転するのが防止され、環状溝９１内に係合しているボール９４によって、所定位置に保持される。
【００２８】
セレクターホイール２を取り外すには、図１１に示されるように、カラー９５がばね９７の偏倚力に抗して下方へ押されるだけで良く、これはボール９４が溝９１から出て半径方向外向きに動けるようにし、その結果セレクターホイール２の頭部８４が軸８０から外れて簡単に下向きに摺動することができる。同様に、セレクターホイール２を交換するには、キー９０とキー溝が整列するまで頭部が単に回転されれば良く、それから、ばね９７の偏倚に抗してカラー９５を押して保持したまま、頭部２が上向きに押されて所定位置に置かれるだけである。カラー９５に対する圧力を解放すると、ばね９７がラー９５を上向きに偏倚し、そして次にこれがボール９４を半径方向内向きに偏倚してそれらが環状溝９１内にロックされる。
【図面の簡単な説明】
【図１】
図１は織機の部分側面断面図である。
【図２】
図２は第１例の糸供給経路の概略的斜視図である。
【図３】
図３は第２例のヤーン供給経路の概略的斜視図である。
【図４】
図４は織機の主な織り部分の側面断面図である。
【図５】
図５はタフト形成ユニットの一部の部分断面図である。
【図６】
図６はセレクターホイールの平面図である。
【図７】
図７はタフト形成動作の開始時のタフト形成ユニットの略図である。
【図８】
図８はタフト形成動作の終了時のタフト形成ユニットの略図である。
【図９】
図９は２つのタフト形成ユニットの簡略正面図である。
【図１０】
図１０はヤーンセレクターホイールとヤーン選択モータの間の相互連結の第１例を示す分解斜視図である。
【図１１】
図１１はヤーンセレクターホイールとヤーン選択モータの間の相互連結の第２例の垂直断面図である。
【国際公開パンフレット】
2004502044.tif 000003
2004502044.tif 000004
2004502044.tif 000005
2004502044.tif 000006
2004502044.tif 000007
2004502044.tif 000008
2004502044.tif 000009
2004502044.tif 000010
2004502044.tif 000011
2004502044.tif 000012
2004502044.tif 000013
2004502044.tif 000014
2004502044.tif 000015
2004502044.tif 000016
2004502044.tif 000017
2004502044.tif 000018
2004502044.tif 000019
2004502044.tif 000020
2004502044.tif 000021
2004502044.tif 000022
2004502044.tif 000023
2004502044.tif 000024
2004502044.tif 000025
2004502044.tif 000026
2004502044.tif 000027
2004502044.tif 000028
2004502044.tif 000029
2004502044.tif 000030
【国際公開パンフレット（コレクトバージョン）】
2004502044.tif 000031
2004502044.tif 000032
【国際調査報告】
2004502044.tif 000033
2004502044.tif 000034
2004502044.tif 000035
2004502044.tif 000036